(57)【要約】【課題】液晶表示装置のエージング試験に要する時間を極力短縮でき、その結果さらなる生産性向上に寄与し得ること。【解決手段】エージング試験が開始される直前に行われるエージングモードＯＮ操作がなされたか否かを検知し（Ｓ１）、それが検知されてから予め定められた時間ｔｓが経過するまで、バックライトに対する供給電力を一時的に最大許容電力（標準の供給電力よりも高い電力）に調節する（Ｓ２〜Ｓ７）。その間に、内部温度が上限温度以上となったときは、各電気部品への通電をＯＦＦして待機状態となる（Ｓ９）。【選択図】図２
2008122695.tif 000002
【特許請求の範囲】
【請求項１】
液晶パネルをその背面側から照明するバックライトを備えた液晶表示装置であって、
当該液晶表示装置のエージング試験が行われるときに所定の入力手段を通じて入力されるトリガ情報の入力を検知するトリガ情報検知手段と、
前記トリガ情報検知手段により前記トリガ情報の入力が検知された場合に、前記バックライトに対する供給電力を、前記トリガ情報の入力が検知される前の状態において調節される標準供給電力よりも一時的に高い電力に調節するエージング時バックライト電力調節手段と、
を具備してなることを特徴とする液晶表示装置。
【請求項２】
前記エージング時バックライト電力調節手段が、前記トリガ情報の入力が検知されてから予め定められた時間が経過するまで前記標準供給電力よりも高い電力に調節してなる請求項１に記載の液晶表示装置。
【請求項３】
当該液晶表示装置の内部の温度を検出する内部温度検出手段を具備し、
前記エージング時バックライト電力調節手段が、前記トリガ情報の入力が検知されてから前記内部温度検出手段により予め定められた目標温度以上の温度が検出されるまで前記標準供給電力よりも高い電力に調節してなる請求項１に記載の液晶表示装置。
【請求項４】
当該液晶表示装置の内部温度を検出する内部温度検出手段と、
前記内部温度検出手段により予め定められた上限温度以上の温度が検出されたときに前記バックライトに対する電力供給を停止する電力供給緊急停止手段と、
を具備してなる請求項１〜３のいずれかに記載の液晶表示装置。
【請求項５】
当該液晶表示装置の内部空気を外部に排出する換気ファンを駆動するモータと、
前記エージング時バックライト電力調節手段により前記バックライトに対する供給電力が前記標準供給電力よりも高い電力に調節されている間に前記換気ファンを駆動するモータに対する供給電力を前記トリガ情報の入力が検知される前の状態において調節される標準電力よりも高い電力に調整し、前記エージング時バックライト電力調節手段により前記バックライトに対する供給電力が前記標準供給電力に戻される時点から前記換気ファンを駆動するモータに対する供給電力を停止させるエージング時換気ファン電力調節手段と、
を具備してなる請求項１〜４のいずれかに記載の液晶表示装置。
【請求項６】
液晶パネルをその背面側から照明するバックライトを備えた液晶表示装置の制御方法であって、
前記液晶表示装置のエージング試験が行われるときに所定の入力手段を通じて入力されるトリガ情報の入力を所定の検知手段により検知するトリガ情報検知工程と、
前記トリガ情報検知工程により前記トリガ情報の入力が検知された場合に、所定の電力調節手段により、前記特定の電気部品に対する供給電力を、前記トリガ情報の入力が検知される前の状態において調節される標準供給電力よりも一時的に高い電力に調節するエージング時バックライト電力調節工程と、
を具備してなることを特徴とする液晶表示装置の制御方法。
【発明の詳細な説明】
【技術分野】
【０００１】
本発明は、液晶パネルをその背面側から照明するバックライトを備えた液晶表示装置及びその制御方法に関するものである。
【背景技術】
【０００２】
いわゆる液晶テレビや電子計算機用のモニタとして採用される液晶表示装置は、液晶パネルやその液晶パネルをその背面側から照明するバックライト（照明手段）、前記液晶パネルの駆動回路等、熱源となる（発熱する）多数の電気部品を備えている。
ここで、一般的な前記液晶表示装置は、前記液晶パネルの前面側に配設される明るさセンサを備え、検出された明るさに応じて前記バックライトに対する供給電力（発光強度）が調節される。即ち、前記液晶表示装置の使用環境の明るさが基準レベルよりも明るい場合には、前記バックライトに対して基準の電力よりも高い電力が供給され、前記液晶表示装置の使用環境の明るさが基準レベルよりも暗い場合には、前記バックライトに対して基準の電力よりも低い電力が供給される。これにより、前記液晶パネルの明るさが、ユーザにとって見やすい明るさに調節される。
また、特許文献１には、前記液晶パネルの背面側に配設される明るさセンサを備え、検出された明るさに応じて前記バックライトに対する供給電力（発光強度）を調節する液晶表示装置が示されている。
【０００３】
ところで、特許文献２には、液晶テレビ（前記液晶表示装置の一例）の製造において、製品として組み立てられた液晶テレビについて、出荷前にエージング試験を実施することが示されている。これにより、組み立て前の各部品ごとに前記エージング試験を行うよりも前記液晶表示装置の生産性を高めることができる
前記エージング試験において、前記液晶表示装置は、液晶パネルやその駆動回路等のほぼ全ての電気部品に対する電力供給が行われた状態（以下、使用状態という）で、予め定められた試験温度に維持された恒温槽の中に所定の評価時間以上置かれ、そのような設置環境に置かれた場合でも正常に動作することの確認試験が実施される。ここで、前記試験温度は、例えば、その液晶表示装置の正常動作が保証される使用環境の最高温度やそれをやや超える温度等に設定される。
また、前記液晶表示装置は、液晶パネルをその背面側から照明するバックライト（照明手段）や前記液晶パネルの駆動回路等、熱源となる（発熱する）多数の電気部品を備えるため、前記使用状態となった後のしばらくの間は、前記電気部品の発熱により前記液晶表示装置の内部温度が上昇する。そして、その内部温度は、やがては安定的な温度（以下、定常温度という）に到達した状態でほぼ一定となる。
前記エージング試験では、前記液晶表示装置の内部温度が前記定常温度となった後、前記評価時間の間継続して前記試験温度の環境下に置かれることが重要である。このため、実際の前記エージング試験では、前記液晶表示装置は、内部温度が前記試験温度に維持された前記恒温槽の中に、試験に必要な前記評価時間と予め定められたウォームアップ時間とを加算した時間だけ置かれる。
ここで、前記ウォームアップ時間は、前記液晶表示装置が前記使用状態となってからその内部温度が前記定常温度に到達するまでの時間であり、予めサンプル機を用いた実験等により測定されるものである。
【特許文献１】特開平４−３１４０２５号公報
【特許文献２】特開２００６−１５３９９２号公報
【発明の開示】
【発明が解決しようとする課題】
【０００４】
しかしながら、前記エージング試験における前記ウォームアップ時間が長く、これが液晶表示装置の生産性のさらなる向上を阻害するという問題点があった。特に、前記液晶表示装置が大型であるほど、その熱容量が大きいために前記ウォームアップ時間が長く、前記ウォームアップ時間が前記液晶表示装置の生産性向上における大きな阻害要因となる。
例えば、前記液晶パネルのサイズが５０インチを超える前記液晶表示装置では、前記ウォームアップ時間が１時間以上になる場合がある。
従って、本発明は上記事情に鑑みてなされたものであり、その目的とするところは、液晶表示装置のエージング試験に要する時間を極力短縮でき、その結果さらなる生産性向上に寄与し得る液晶表示装置及びその制御方法を提供することにある。
【課題を解決するための手段】
【０００５】
上記目的を達成するために本発明は、液晶パネルをその背面側から照明するバックライトを備え、さらに以下の（１）及び（２）に示される構成要素を備えた液晶表示装置である。
（１）当該液晶表示装置のエージング試験が行われるときに所定の入力手段を通じて入力されるトリガ情報の入力を検知するトリガ情報検知手段。
（２）前記トリガ情報検知手段により前記トリガ情報の入力が検知された場合に、前記バックライトに対する供給電力を、前記トリガ情報の入力が検知される前の状態において調節される標準供給電力よりも一時的に高い電力に調節するエージング時バックライト電力調節手段。
ここで、前記エージング時バックライト電力調節手段が実行する処理としては、次の（３）又は（４）のいずれかに示す処理が考えられる。
（３）前記トリガ情報の入力が検知されてから予め定められた時間が経過するまで前記標準供給電力よりも高い電力に調節する処理。
（４）当該液晶表示装置が、その内部の温度を検出する内部温度検出手段を具備する場合に、前記トリガ情報の入力が検知されてから前記内部温度検出手段により予め定められた目標温度以上の温度が検出されるまで前記標準供給電力よりも高い電力に調節する処理。
本発明に係る液晶表示装置は、前記エージング試験が行われる際に前記トリガ情報が入力されることにより、液晶表示装置における主たる熱源である前記バックライトに対する供給電力を一時的に増大させ、それらの発熱量を一時的に増大させる。その結果、従来よりも前記エージング試験における前記ウォームアップ時間（前記液晶表示装置が前記使用状態となってからその内部温度が前記定常温度に到達するまでの時間）が短縮される。特に、前記液晶表示装置のサイズが大きい場合、前記バックライトの発熱量が大きく、前記ウォームアップ時間の大幅な短縮効果が得られる。
【０００６】
また、本発明に係る液晶表示装置が、前記内部温度検出手段を具備する場合に、さらに、前記内部温度検出手段により予め定められた上限温度以上の温度が検出されたときに前記バックライトに対する電力供給を停止する電力供給緊急停止手段を具備することが考えられる。
これにより、前記エージング時バックライト電力調節手段の処理により各部品の温度が過剰な高温となって部品が破損することを回避できる。
また、当該液晶表示装置が、その内部空気を外部に排出する換気ファンを駆動するモータを備える場合に、前記エージング時バックライト電力調節手段により前記バックライトに対する供給電力が前記標準供給電力よりも高い電力に調節されている間に前記換気ファンを駆動するモータに対する供給電力を前記トリガ情報の入力が検知される前の状態において調節される標準電力よりも高い電力に調整し、前記エージング時バックライト電力調節手段により前記バックライトに対する供給電力が前記標準供給電力に戻される時点から前記換気ファンを駆動するモータに対する供給電力を停止させるエージング時換気ファン電力調節手段をさらに具備することが考えられる。
このように、液晶表示装置の中で比較的消費電力が大きい前記換気ファンに対する供給電力を一時的に増大させることにより、前記ウォームアップ時間をより短縮できる。また、ウォームアップの終了後に前記換気ファンを停止させることにより、外気の流入によって装置内の温度が返って低下することを回避できる。
また、本発明は、以下の（１）及び（２）に示す各工程を実行する前記液晶表示装置の制御方法であってもよい。
（１）前記液晶表示装置のエージング試験が行われるときに所定の入力手段を通じて入力されるトリガ情報の入力を所定の検知手段により検知するトリガ情報検知工程。
（２）前記トリガ情報検知工程により前記トリガ情報の入力が検知された場合に、所定の電力調節手段により、前記バックライトに対する供給電力を、前記トリガ情報の入力が検知される前の状態において調節される標準供給電力よりも一時的に高い電力に調節するエージング時バックライト電力調節工程。
なお、このような液晶表示装置の制御方法を実行することよる作用効果は、本発明に係る液晶表示装置における作用効果と同様である。
【発明の効果】
【０００７】
本発明によれば、従来よりも前記エージング試験における前記ウォームアップ時間（前記液晶表示装置が前記使用状態となってからその内部温度が前記定常温度に到達するまでの時間）が短縮される結果、前記液晶表示装置の生産性をより高めることができる。特に、前記液晶表示装置のサイズが大きい場合に、前記ウォームアップ時間の大幅な短縮効果が得られ、より高い生産性向上効果が得られる。
【発明を実施するための最良の形態】
【０００８】
以下添付図面を参照しながら、本発明の実施の形態について説明し、本発明の理解に供する。尚、以下の実施の形態は、本発明を具体化した一例であって、本発明の技術的範囲を限定する性格のものではない。
ここに、図１は本発明の実施形態に係る液晶表示装置Ｘの概略構成を表すブロック図、図２は液晶表示装置Ｘのエージングモード時電力調節処理の手順を表すフローチャート、図３は液晶表示装置Ｘにおける内部温度のトレンドグラフ及びバックライト等への供給電力のタイムチャートである。
【０００９】
まず、図１に示すブロック図を用いて、本発明の実施形態に係る液晶表示装置Ｘの構成について説明する。図１に示す液晶表示装置Ｘは、アンテナ等により受信されたテレビジョン放送信号に基づく映像を液晶パネル２１により表示するテレビジョン受像機である。
そして、液晶表示装置Ｘは、液晶パネル２１の背面を、概ね白色の光により照明する蛍光管１２（図中、ＣＦＬと表す）と、同じく液晶パネル２１の背面を、赤色の光により照明する赤色発光のＬＥＤ１３との各々を有するハイブリッド型のバックライトを備えている。
なお、本実施形態では、前記液晶表示装置Ｘの構成例としてテレビジョン受像機を示すが、本発明の適用対象はこれに限らず、例えば、計算機のモニタとしての液晶表示装置等、液晶パネルとバックライトとを備えるものであれば、他の液晶表示装置であってもかまわない。また、前記バックライトは、前記ハイブリッド型ではなく前記蛍光管１２のみ、或いはＲＧＢ３色（合成して白色）のＬＥＤのみにより照明するタイプであってもかまわない。
図１に示すように、前記液晶表示装置Ｘは、複数のチューナ１ａ、１ｂ、１ｃ、外部入力部２、映像切替回路３、映像処理回路４、液晶パネル駆動回路５、タイマ回路６、リモコン７、制御回路８、リモコンインターフェース（Ｉ／Ｆ）回路９、液晶パネル２１、バックライトを構成する蛍光管１２及びＬＥＤ１３、インバータ回路１４、ＬＥＤ駆動回路１５、カラーセンサ１６、明るさセンサ１７、温度センサ１８、音声切替回路１０、音声処理回路１１、アンプ２２、及びスピーカ２３等を具備して構成されている。
【００１０】
前記チューナ１ａ、１ｂ、１ｃは、各々地上波放送信号、ＢＳ衛星放送信号及びＣＡＴＶ放送信号の各々が入力され、入力された各放送信号から前記制御回路８により指示される放送チャンネルの信号を抽出（選局）するとともに、その抽出信号の検波によって映像信号及び音声信号を取り出し、その映像信号及び音声信号の各々を前記映像切替回路３及び前記音声切替回路１０各々へ伝送するものである。
また、前記外部入力部２は、外部からコンポジット方式或いはセパレート方式の映像信号及び音声信号等である外部入力映像信号及び外部入力音声信号を入力し、それらを前記映像切替回路３及び前記音声切替回路１０各々へ伝送するインターフェースである。
前記映像切替回路３は、前記チューナ１ａ、１ｂ、１ｃ各々からの映像信号及び前記外部入力部２からの映像信号を入力し、それらの映像信号のうちの任意の１つの映像信号を前記制御回路８からの指示に従って選択して出力するものである。
【００１１】
前記映像処理回路４は、前記映像切替回路３から出力された映像信号に対して各種信号処理を行うものである。例えば、映像信号から水平及び垂直同期信号の分離、その同期信号に位相同期したクロック信号の生成、映像信号からの輝度信号及び色信号の分離、所定の画質改善処理等を行い、処理後の映像信号を前記液晶パネル駆動回路５に出力する。
液晶パネル駆動回路５は、映像処理回路４から伝送されてくる映像信号に基づいて液晶パネル２１を駆動し、その映像信号に対応する映像を液晶パネル２１に表示させる回路である。
前記制御回路８は、演算手段であるＭＰＵ８ａ、そのＭＰＵ８ａによって実行される制御プログラムが予め格納される記憶手段であるＲＯＭ８ｂ（ＥＰＲＯＭ）、前記ＭＰＵ８ａが実行する処理において読み書き（参照又は書き込み）される設定情報を記憶するＥＥＰＲＯＭ８ｃ等を備え、当該液晶表示装置Ｘ全体を制御するものである。
前記タイマ回路６は、時刻の計時や、制御回路８により指定された時間の計時を行うものである。タイマ回路６の計時結果は、前記制御回路８に伝送される。
前記リモコンインターフェース回路９は、当該液晶表示装置Ｘの操作用のリモコン７（リモート操作器）から、赤外線伝送等の無線伝送によって前記リモコン７に対する操作入力情報を取得し、その操作入力情報を前記制御回路８に出力するものである。
【００１２】
前記音声切替回路１０は、前記チューナ１ａ、１ｂ、１ｃ各々からの音声信号及び前記外部入力部２からの音声信号が入力され、それらの音声信号のうちの任意の１つの音声信号を、前記制御回路８からの指示に従って前記音声処理回路１１に出力するものである。
前記音声処理回路１１は、前記制御回路８からの指示に従って、前記音声切替回路１０から出力された音声信号に対して各種信号処理を行うものである。例えば、前記スピーカ２３の特性に合わせたイコライズ処理や、サラウンド処理等を行う。
前記アンプ２２は、前記音声処理回路１１による処理後の音声信号を、前記制御回路８からの指示に従って増幅或いは減衰させる処理を行い、前記スピーカ２３に出力するものである。
また、前記液晶パネル２１は、前記映像処理回路４から出力される映像信号に基づく映像を表示するものである。
また、前記明るさセンサ１７は、液晶パネル２１の前面側の明るさ（当該液晶表示装置Ｘの設置環境の明るさ）を検知するセンサであり、前記カラーセンサ１６は、液晶パネル２１の背面側における光の色分布（Ｒ、Ｇ、Ｂの分布）を検知するセンサである。これらのセンサは、後述するように、蛍光管１２やＬＥＤ１３の明るさ（出力）制御に用いられる。
【００１３】
前記液晶パネル２１のバックライトを構成する蛍光管１２は、赤、緑及び青の各波長の光の合成光である概ね白色の光を発光するものであり、複数の蛍光管が配列されて構成されている。また、同じく前記バックライトを構成するＬＥＤ１３は、赤色波長の光を発光する赤色ＬＥＤであり、複数の蛍光管１２の間等に複数配列されて構成されている。
前記蛍光管１２は、前記インバータ回路１４（図中、ＩＮＶ回路と示す）により駆動され、そのインバータ回路１４は、前記制御回路８から出力される制御指令に従って、前記蛍光管１２への供給電力を調節する。
具体的には、前記制御回路８からインバータ回路１４に対して矩形波状のパルス信号が出力され、そのパルス信号に同期したパルス状の駆動電圧が蛍光管１２に供給される。そして、前記制御回路８がインバータ回路１４に出力するパルス信号のデューティー比を調節することにより、ＰＷＭ（Pulse Width Modulation：パルス幅階調)調光による前記蛍光管１２の明るさ調節（即ち、供給電力の調節）が行われる。これにより、前記蛍光管１２の点灯、消灯及び明るさ調節が行われる。
一方、前記ＬＥＤ１３（赤色ＬＥＤ）は、前記ＬＥＤ駆動回路１５により駆動され、そのＬＥＤ駆動回路１５が、前記制御回路８から出力される制御指令に従って、前記ＬＥＤ１３に対する供給電力（供給電流）を調節することにより、電流調光方式による前記ＬＥＤ１３の明るさ調節が行われる。これにより、前記ＬＥＤ１３の点灯、消灯及び明るさ調節が行われる。
【００１４】
また、前記温度センサ１８は、当該液晶表示装置Ｘの内部の温度を検出するセンサであり（前記内部温度検出手段の一例）、その検出温度は、前記制御回路８に入力される。この温度センサ１８は、例えばサーミスタ等であり、前記液晶パネル２１の背面側に設けられた筐体内などに配置される。
前記液晶パネル２１における各色（ＲＧＢ）の表示輝度は、前記液晶パネル駆動回路５から前記液晶パネル２１に対して出力される駆動信号の電圧（以下、階調電圧という）のレベルによって定まるが、環境温度の影響も受ける。
そこで、前記制御回路８は、前記温度センサ１８の検出温度に基づいて前記液晶パネル駆動回路５に補正信号を出力することにより、前記液晶パネル駆動回路５から出力される前記階調電圧を補正する。これにより、環境温度が変化しても、前記液晶パネル２１による表示映像の画質が良好に維持される。
また、前記液晶パネル駆動回路５は、前記制御回路８から前記諧調電圧のレベルを直接指定されることにより、前記映像処理回路４から伝送されてくる映像信号の内容にかかわらず、前記諧調電圧を指定された電圧に設定する機能を備えている。これにより、前記液晶パネル駆動回路５は、前記制御回路が指定する前記諧調電圧のレベルに応じて、前記液晶パネル２１に対する供給電力を調節することができる。
【００１５】
ところで、前記液晶表示装置Ｘは、製品として組み立てられた後、出荷前にエージング試験が実施される。
前記エージング試験において、前記液晶表示装置Ｘは、図１に示される全ての電気部品（前記チューナ１ａ〜１ｃ、前記映像切替回路３、前記映像処理回路４、前記液晶パネル駆動回路５、前記バックライト及びそれを駆動する前記インバータ回路１４と前記ＬＥＤ駆動回路１５、前記液晶パネル２１、前記音声切替回路１０、前記音声処理回路１１、前記アンプ２２を含む）に対する電力供給が行われた前記使用状態で、前記試験温度（例えば、４０℃）に維持された恒温槽の中に前記評価時間（例えば２４時間）以上置かれた後、前記確認試験が実施される。
ここで、前記液晶表示装置Ｘは、前記エージング試験が行われる際に、検査員によって前記リモコン７に対する予め定められた特殊操作（一般ユーザには開示されない操作）であるエージングモードＯＮ操作がなされる。前記特殊操作としては、例えば、予め定められた暗証番号を所定時間（数秒）以内に前記リモコン７における数字キーによって入力する操作や、前記リモコン７における予め定められた複数の操作キーを同時に押下する操作などが考えられる。
そして、前記制御回路８は、前記エージングモードＯＮ操作がなわれたことを検知すると、以降に示すエージングモード時電力調節処理を実行する。
前記エージングモード時電力調節処理は、前記バックライト（ここでは、前記蛍光管１２及び前記ＬＥＤ１３）及び前記液晶パネル２１に対する供給電力を一時的に増大させる処理である。前記液晶表示装置Ｘは、前記エージングモード時電力調節処理を実行中は、前記恒温槽の中に置かれている。
なお、前記液晶表示装置Ｘにおいて、前記リモコン７に対する前記エージングモードＯＮ操作が検知されてから前記エージングモード時電力調節処理が終了するまでの動作状態をエージングモードといい、その他の動作状態を通常モードという。
また、前記通常モードの状態における前記バックライト及び前記液晶パネル２１に対する供給電力の調節方法は、前述した通りである。
即ち、前記制御回路８が、前記明るさセンサ１７の検出結果に基づいて前記蛍光管１２に対する供給電力を調節し、さらに、前記カラーセンサ１６の検出結果に基づいて前記ＬＥＤ１３に対する供給電力を調節する。
また、前記液晶パネル駆動回路５が、前記映像処理回路４から伝送されてくる映像信号に基づいて、前記液晶パネル２１に対する基本的な供給電力（即ち、前記諧調電圧）を調節し、前記制御回路８が、前記温度センサ１８の検出温度に基づいて前記液晶パネル２１に対する供給電力（即ち、前記諧調電圧）を補正する。
【００１６】
次に、図２に示すフローチャートを参照しつつ、制御回路８のＭＰＵ８ａが所定の制御プログラムを実行することにより実現される前記エージングモード時電力調節処理の手順について説明する。なお、図２に示す処理は、前記リモコン７に対する電源ＯＮ操作等により、当該液晶表示装置Ｘが起動（電源ＯＮ）されて前記通常モードの状態になることにより開始するものとする。また、以下に示すＳ１、Ｓ２、…は、処理手順（ステップ）の識別符号を表す。
［ステップＳ１］
まず、前記制御回路８は、前記通常モードの状態において、前記リモコン７に対して前記エージングモードＯＮ操作がなされたか否かを監視する（Ｓ１）。
このステップＳ１において、前記制御回路８は、前記エージング試験が開始される直前に行われる前記エージングモードＯＮ操作がなされたか否かを、前記リモコンインターフェース回路９（前記入力手段の一例）を通じて予め定められたエージング開始コマンド（前記トリガ情報の一例）が入力されたか否かを検知することによって判別する（前記トリガ情報検知手段の一例）。
そして、前記制御回路８は、ステップＳ１の処理によって前記エージング開始コマンドの入力を検知すると、それをトリガとして前記エージングモード時電力調節処理（Ｓ２〜Ｓ１０）を実行する。
【００１７】
［ステップＳ２〜Ｓ４］
前記制御回路８は、ステップＳ１の処理により前記エージング開始コマンドの入力が検知された場合に、前記バックライトに対する供給電力を、予め定められた許容最大電力となるように調節する（Ｓ２）。ここで、前記許容最大電力は、前記バックライトについて許容される最大の供給電力であり、前記通常モード（前記エージング開始コマンドの入力が検知される前の状態）において調節される標準の供給電力よりも高い電力（例えば、１．２倍程度）である。また、前記許容最大電力を供給する状態は、後述するステップＳ７の処理が実行されるまでの一時的な状態である。
具体的には、前記制御回路８は、前記インバータ回路１４、前記ＬＥＤ駆動回路１５及び前記液晶パネル駆動回路５のそれぞれに所定の制御指令を出力ことにより、前記蛍光管１２、前記ＬＥＤ１３及び前記液晶パネル２１それぞれに対する供給電力が前記通常モード時より高い電力（前記許容最大電力）となるよう調節する。
さらに、前記制御回路８は、予め定められた時間ｔｓを前記タイマ回路６に設定することにより、前記タイマ回路６による計時を開始させる（Ｓ３）。
さらに、前記制御回路８は、エージング時電力調節処理中である旨（前記エージングモードの状態である旨）を通知する処理を開始する（Ｓ４）。
例えば、前記制御回路８は、不図示のＬＥＤランプを点灯させたり、或いは、前記液晶パネル駆動回路５を制御することによって前記液晶パネル２１に前記エージングモードの状態である旨のメッセージを表示させる。
【００１８】
［ステップＳ５〜Ｓ８］
次に、前記制御回路８は、前記温度センサ１８の検出温度（内部温度）が予め定められた上限温度（例えば、６０℃）以上となっていないか否かの監視（Ｓ５）と、前記タイマ回路６による計時時間が前記時間ｔｓを経過したか否かの監視（Ｓ６）とを継続的に実行する。
そして、前記制御回路８は、前記タイマ回路６による計時時間が前記時間ｔｓを経過したことを検知すると、前記バックライトについて供給電力を前記容最大電力となるように調節するという割り込み処理を終了し、元の前記通常モード時における供給電力の調節処理に戻す（Ｓ７）。
即ち、前記制御回路８は、前記エージング開始コマンドの入力が検知（Ｓ１）されてから予め定められた時間ｔｓが経過するまで、前記バックライト及び前記液晶パネル２１に対する供給電力を一時的に前記最大許容電力（前記標準供給電力よりも高い電力の一例）に調節する（前記エージング時バックライト電力調節手段の一例）。
さらに、前記制御回路８は、前記ステップＳ４において開始した前記エージングモードの状態である旨の通知を終了させ（Ｓ８）、その後、処理を前述したステップＳ１へ戻す。
【００１９】
［ステップＳ９〜Ｓ１０］
一方、前記制御回路８は、前記ステップＳ５において、前記タイマ回路６による計時時間が前記時間ｔｓを経過する前に、前記温度センサ１８の検出温度（内部温度）が前記上限温度以上となったことを検知すると、不図示のスイッチ回路を制御することにより、前記バックライトに対する電力供給を緊急停止させ（通電ＯＦＦ）、当該液晶表示装置Ｘを待機状態へ移行させる（前記電力供給緊急停止手段の一例）。
これにより、当該エージングモード時電力調節処理により、各部品の温度が過剰な高温となって部品が損傷することを回避する。
さらに前記制御回路８は、不図示のＬＥＤランプを点滅させ（Ｓ１０）、制御処理を終了させる。このＬＥＤランプの点滅により、前記バックライトへの電力供給が緊急停止したことが通知される。
【００２０】
図３は、前記液晶表示装置Ｘにおける前記温度センサ１８の検出温度（以下、内部温度Ｔｘという）のトレンドグラフ及び前記バックライト及び前記液晶パネル２１への供給電力Ｐｘのタイムチャートを表す。
図３において、グラフｇ１及びグラフｇ２は、それぞれ前記制御回路８が前記エージングモード時電力調節処理を実行しない場合及び実行した場合における前記内部温度Ｔｘのトレンドグラフを表す。
前述したように、前記制御回路８は、前記エージング試験が行われる際に前記エージング開始コマンドが入力されることにより、当該液晶表示装置Ｘにおける主たる熱源である前記バックライト及び前記液晶パネル２１に対する供給電力を、前記時間ｔｓが経過するまでの間（図３における「エージングモードＯＮ」の時点から「エージングモードＯＦＦ」の時点まで）、一時的に増大させる（図３においてＰ０からＰ１へ増大）。
その結果、前記液晶表示装置Ｘが恒温槽内に置かれる前記エージング試験において、前記液晶表示装置Ｘが前記使用状態となってから前記内部温度Ｔｘが定常温度Ｔｓに到達するまでの前記ウォームアップ時間が、前記エージングモード時電力調節処理を実行しない場合ｇ１に対し同処理を実行する場合ｇ２の方が、図３に示すΔｔａの時間分だけ短縮される。
【００２１】
ところで、以上に示した実施形態では、前記エージング開始コマンドの入力が検知されてから前記時間ｔｓが経過するまでの間、前記バックライト及び前記液晶パネル２１に対して前記許容最大電力を供給する例を示したが、他の実施形態も考えられる。
例えば、前記制御回路８が、前記エージング開始コマンドの入力が検知（Ｓ１）されてから前記温度センサ１８により予め定められ目標温度以上の温度が検出されるまで、前記バックライト及び前記液晶パネル２１に対する供給電力を前記最大許容電力（前記標準供給電力よりも高い電力の一例）に調節することも考えられる（前記エージング時バックライト電力調節手段の一例）。
具体的には、図２に示すステップＳ６において、前記制御回路８が、前記温度センサ１８の検出温度が所定の目標温度以上であるか否かを判別し、前記目標温度以上であれば前記ステップＳ７へ、そうでなければ前記ステップＳ５へ処理を移行させればよい。ここで、前記目標温度は、例えば前記定常温度Ｔｓ又はそれより数℃低い温度とする。
このような実施形態も本発明の実施形態の一例である。
【００２２】
また、前記実施形態では、前記エージングモード時に、前記バックライトに対する供給電力を一時的に増大させる前記液晶表示装置Ｘを示したが、それと併せて供給電力を変更する対象は他にも考えられる。
例えば、前記液晶表示装置Ｘが、図１には示されていない換気ファン（液晶表示装置Ｘの内部空気を外部に排出するファン）を駆動するモータ及びそのモータに対する供給電力を調節する回路を備え、前記制御回路８が、前記換気ファンに対する供給電力を変更することが考えられる。
この場合、前記制御回路８が、前記バックライトに対する供給電力を前記標準の電力よりも高い電力に調節している間に、前記換気ファンを駆動するモータに対する供給電力を、前記エージング開始コマンドの入力が検知される前の状態において調節される標準電力よりも高い電力に調整し、その後、前記バックライトに対する供給電力を前記標準の電力に戻した時点から前記換気ファンを駆動するモータに対する供給電力を停止させる（前記エージング時換気ファン電力調節手段の一例）。
このように、比較的消費電力が大きい前記換気ファンに対する供給電力を一時的に増大させることにより、前記ウォームアップ時間をより短縮できる。また、ウォームアップの終了後に前記換気ファンを停止させることにより、外気の流入によって装置内の温度が返って低下することを回避できる。
【産業上の利用可能性】
【００２３】
本発明は、テレビジョン受像機に利用可能である。
【図面の簡単な説明】
【００２４】
【図１】本発明の実施形態に係る液晶表示装置Ｘの概略構成を表すブロック図。
【図２】液晶表示装置Ｘのエージングモード時電力調節処理の手順を表すフローチャート。
【図３】液晶表示装置Ｘにおける内部温度のトレンドグラフ及びバックライト等への供給電力のタイムチャート。
【符号の説明】
【００２５】
Ｘ…液晶表示装置
１ａ、１ｂ、１ｃ…チューナ
２…外部入力部
３…映像切替回路
４…映像処理回路
５…液晶パネル駆動回路
６…タイマ回路
７…リモコン
８…制御回路
９…リモコンインターフェース回路
１０…音声切替回路
１１…音声処理回路
１２…蛍光管（バックライト）
１３…ＬＥＤ（バックライト）
１４…インバータ回路
１５…ＬＥＤ駆動回路
１６…カラーセンサ
１７…明るさセンサ
１８…温度センサ
２１…液晶パネル
Ｓ１、Ｓ２、・・…ステップ（処理手順）
【図１】
2008122695.tif 000003
【図２】
2008122695.tif 000004
【図３】
2008122695.tif 000005